(57)【要約】【課題】操作ハンドルの総回転量をそれ程大きくすることなく、操作ハンドルの全調整範囲のうち、所定の区間においてのみ遊技媒体の発射強度を微調整できる遊技機の提供を課題とする。【解決手段】遊技媒体の発射強度を調整するべく操作ハンドル８の回動レバー１０１によって回転される第１歯車１０４、及び発射ボリュームＤの軸Ｄａに連結された第２歯車１０５を備えている。第１歯車１０４は、所定の中心角を有する円弧状の第１小径ギヤ部１１１と、第１小径ギヤ部１１１の両側に形成されると共に、第１小径ギヤ部１１１より大径の第１大径ギヤ部１１２とを有している。また、第２の歯車１０５は、所定の中心角を有する円弧状で第１小径ギヤ部１１１に噛合される第２大径ギヤ部１１６と、第２大径ギヤ部１１６の両側に形成されると共に、第２大径ギヤ部１１６より小径の第２小径ギヤ部１１７とを有している。【選択図】図９
2005052517.tif 000002
【特許請求の範囲】
【請求項１】
遊技媒体を射出する発射強度の強弱を調整操作するための操作部と、前記操作部によって強弱調整した発射強度により、前記遊技媒体を遊技領域に向けて射出する射出部とを有する遊技機において、
前記操作部の調整操作量に応じて推移する出力の全調整範囲のうち、所定の区間内における前記調整操作量に対する前記出力推移の割合が、前記所定の区間外における前記出力推移の割合に比較して小さくなるように、前記射出部から射出される前記遊技媒体の発射強度を調整する発射強度調整手段を備え、
前記発射強度調整手段は、前記操作部の調整操作量に応じて推移する出力の全調整範囲のうち、前記所定の区間内における調整操作量に対する前記出力推移の割合が、前記所定の区間外における前記出力推移の割合に比較して小さくなるように構成された出力調整部材と、前記出力調整部材を介して回転される軸を有すると共に、前記軸の回転量に応じて生成された前記出力を前記射出部に送出する出力手段とを備え、
前記出力調整部材は、前記操作部によって回転される第１の歯車と、前記出力手段の前記軸に連結されると共に、前記第１の歯車に噛合された第２の歯車とを備え、前記第１の歯車の回転に伴って前記第２の歯車が低速度比と高速度比に切り替えられて回転されるように構成され、
前記第１の歯車は、所定の中心角を有する円弧状の第１小径ギヤ部と、前記第１小径ギヤ部の両側に形成されると共に、前記第１小径ギヤ部より大径の第１大径ギヤ部とを有し、
前記第２の歯車は、所定の中心角を有する円弧状で前記第１小径ギヤ部に噛合される第２大径ギヤ部と、前記第２大径ギヤ部の両側に形成されると共に、前記第２大径ギヤ部より小径の第２小径ギヤ部とを有し、
前記所定の区間内においては、前記第１小径ギヤ部が前記第２大径ギヤ部に噛合され、
前記所定の区間外においては、前記第１大径ギヤ部が前記第２小径ギヤ部に噛合されることを特徴とする遊技機。
【請求項２】
前記所定の区間は、前記遊技領域内の目標となる打ち込みポイントに前記遊技媒体を打ち込むことが可能な前記発射強度の調整区間を少なくとも含む範囲であることを特徴とする請求項１に記載の遊技機。
【請求項３】
前記第１歯車は前記第１小径ギヤ部を複数有し、前記第２歯車は前記複数の第１小径ギヤ部に噛合される第２大径ギヤ部を複数有することを特徴とする請求項１又は２に記載の遊技機。
【発明の詳細な説明】
【技術分野】
【０００１】
本発明は、遊技機に係り、更に詳細には遊技媒体の発射強度を調整可能な遊技機に関する。
【背景技術】
【０００２】
一般に、種々の遊技状態に応じた演出が実施される遊技機の代表例として弾球遊技機、所謂「パチンコ遊技機」が知られている。
【０００３】
この種の遊技機は、通常、遊技盤の略中央に液晶ディスプレイ等の画像表示装置を備えている。そして、例えば、回胴をモチーフとした複数種の図柄（識別情報）を、同画像表示装置上の有効ライン上で多彩な演出を交えながら変動表示及び停止表示させ、現在の遊技状態を遊技者に報知している。
【０００４】
遊技機正面に設けられる遊技盤には、一般にスタートチャッカーと称される予め定められた所定入賞口の一つとなる始動入賞口が設けられている。この始動入賞口にパチンコ球が入賞したことを受け、主制御装置等にて有利な遊技状態に当選したか否かの判定にあたる乱数抽選が実施される。
【０００５】
なお、ここでいう有利な遊技状態とは、所謂「大当たり状態」、「確率変動付き大当たり状態」といった遊技者が有利にゲーム展開可能な遊技状態（遊技期間）に相当する。
【０００６】
また、この抽選結果に応じて先の画像表示装置にて報知すべき報知内容である「アタリ」、「ハズレ」が決定され、次いで、この報知内容に係る演出の変動パターン（演出内容）を選択すべく、画像処理用の副制御装置にて変動パターン決定用の乱数抽選が実施される。
【０００７】
そして、この乱数抽選にて決定された変動パターンに従い各種図柄が有効ライン上にて変動表示され、例えば、「７−７−７」のように予め定められた図柄の組み合わせで停止した場合を「アタリ」とし、有利な遊技状態に移行するようになる。
【０００８】
このように遊技者は、予め定められたある図柄の組み合わせが有効ライン上に揃うことで、有利な遊技状態に至ったことを認識する。また、言い換えれば、この有利な遊技状態に至るかの如く演出を適度に表示することで遊技者の期待感を高めることができ、遊技に係る更なるおもしろみを提供できる。
【０００９】
ところで、このような遊技機においては、回転式のハンドルを操作することによって、パチンコ玉の発射強度を調整し、遊技領域におけるパチンコ玉の打ち込み位置を調整するのが普通である。また、パチンコ玉の発射強度は、ハンドルの回転量に応じて変化する出力によって決定される。
【００１０】
従来の遊技機は、図１５の出力曲線８６に示すように、ハンドルの全調整範囲において、ハンドルの操作回転量とその出力推移量、すなわちハンドルの操作回転量と発射強度の推移量とが略比例していた。
【発明の開示】
【発明が解決しようとする課題】
【００１１】
しかしながら、従来の遊技機は、次に説明するように、例えば遊技者が所謂ぶっ込み狙
いなどをする際に、パチンコ玉の発射強度を微調整するのが困難であった。
【００１２】
すなわち、遊技機においては、ハンドルの全調整範囲における総回転量が大きすぎるとハンドル操作が面倒になるため、ハンドルの総回転量が比較的小さくなるように設定されている。
【００１３】
従来の遊技機は、上記のように比較的小さなハンドルの総回転量で、発射強度の全範囲をカバーする必要があるため、ハンドルの僅かな回転量で発射強度が大きく変化するように構成されていた。
【００１４】
そのため、従来の遊技機は、例えば遊技者が所謂ぶっ込み狙いをする場合などに、発射強度を微調整するのが困難になるという問題があった。
【００１５】
本発明は、このような問題に鑑みなされたもので、ハンドルの総回転量をそれ程大きくすることなく、ハンドルの全調整範囲のうち、所定の区間において遊技媒体の発射強度を微調整できる遊技機の提供を課題とする。
【課題を解決するための手段】
【００１６】
本発明は、前記課題を解決するため、以下の手段を採用した。すなわち、本発明は、遊技媒体を射出する発射強度の強弱を調整操作するための操作部と、前記操作部によって強弱調整した発射強度により、前記遊技媒体を遊技領域に向けて射出する射出部とを有する遊技機において、前記操作部の調整操作量に応じて推移する出力の全調整範囲のうち、所定の区間内における前記調整操作量に対する前記出力推移の割合が、前記所定の区間外における前記出力推移の割合に比較して小さくなるように、前記射出部から射出される前記遊技媒体の発射強度を調整する発射強度調整手段を備え、前記発射強度調整手段は、前記操作部の調整操作量に応じて推移する出力の全調整範囲のうち、前記所定の区間内における調整操作量に対する前記出力推移の割合が、前記所定の区間外における前記出力推移の割合に比較して小さくなるように構成された出力調整部材と、前記出力調整部材を介して回転される軸を有すると共に、前記軸の回転量に応じて生成された前記出力を前記射出部に送出する出力手段とを備え、前記出力調整部材は、前記操作部によって回転される第１の歯車と、前記出力手段の前記軸に連結されると共に、前記第１の歯車に噛合された第２の歯車とを備え、前記第１の歯車の回転に伴って前記第２の歯車が低速度比と高速度比に切り替えられて回転されるように構成され、前記第１の歯車は、所定の中心角を有する円弧状の第１小径ギヤ部と、前記第１小径ギヤ部の両側に形成されると共に、前記第１小径ギヤ部より大径の第１大径ギヤ部とを有し、前記第２の歯車は、所定の中心角を有する円弧状で前記第１小径ギヤ部に噛合される第２大径ギヤ部と、前記第２大径ギヤ部の両側に形成されると共に、前記第２大径ギヤ部より小径の第２小径ギヤ部とを有し、前記所定の区間内においては、前記第１小径ギヤ部が前記第２大径ギヤ部に噛合され、前記第１の歯定の区間外においては、前記第１大径ギヤ部が前記第２小径ギヤ部に噛合されることを特徴とする。
【００１７】
本発明では、操作部の操作量に応じて推移する出力の全調整範囲のうち、所定の区間内においては、操作部によって回転される第１の歯車の回転に伴って、出力手段の軸に連結された第２の歯車が低速度比で回転され、出力手段における出力推移の割合が、所定の区間外における出力推移の割合より小さくなる。
【００１８】
つまり、所定の区間内においては、操作部の操作量に対して出力の推移量が小さくなるので、発射強度の微調整が容易になる。
【００１９】
これに対して、所定の区間外においては、操作部の操作量に対して出力推移量が比較的
大きくなるので、操作部の操作量が比較的小さくても発射強度を大きく変えることができる。
【００２０】
従って、所定の区間において発射強度の微調整が可能であるにも拘わらず、操作部の全調整操作量をそれほど大きくすることなく、発射強度の全調整範囲をカバーできる。
【００２１】
ここで、前記所定の区間は、前記遊技領域内の目標となる打ち込みポイントに前記遊技媒体を打ち込むことが可能な前記発射強度の調整区間を少なくとも含む範囲に設定できる。
【００２２】
この場合は、遊技者が遊技媒体を特に狙い打ちするポイントで、発射強度の微調整が可能になる。
【００２３】
また、所定の区間を発射強度の調整区間よりやや広い範囲に設定した場合は、操作部、出力手段、又は射出部などの各部において、加工誤差や経時変化などが発生した場合でも、打ち込みポイントにおける発射強度の微調整を確実に行うことが可能になる。
【００２４】
また、この場合は、打ち込みポイントの前後から発射強度の微調整が可能になるので、打ち込みポイントに遊技媒体を打ち込むことが容易になる。
【００２５】
更に、前記第１歯車に前記第１小径ギヤ部を複数設け、前記第２歯車に前記複数の第１小径ギヤ部に噛合される第２大径ギヤ部を複数設けることができる。
【００２６】
これによって、複数の打ち込みポイントにおいて、発射強度の微調整が容易になる。
【００２７】
なお、上記の各構成は、本発明の趣旨を逸脱しない限り、互いに組み合わせることが可能である。
【発明の効果】
【００２８】
以上、説明したように本発明の遊技機によれば、操作部の操作量に応じて推移する出力の全調整範囲のうち、所定の区間内においては、操作部の操作量に対して出力の推移量が小さく、所定の区間外においては、推移量が大きくなる。従って、操作部の全操作量をそれほど大きくすることなく、所定の区間内においてのみ発射強度の微調整が可能になる。
【発明を実施するための最良の形態】
【００２９】
以下、本発明の実施の形態を添付した図１から図１６に基づいて説明する。
【００３０】
本実施の形態では、風営適正化法（風俗営業等の規則及び業務の適正化等に関する法律）の内規上「第１種」に区分されるパチンコ遊技機を例に説明する。
【００３１】
図１に示すように、本実施の形態に係る遊技機１は、遊技機１の設置場所たる遊技店の所謂「島」に固定される外枠３と、この外枠３に一側を保持され且つ外枠３に対して開閉自在に設けられた表枠４と、表枠４の前面上部に開閉自在に設けられた窓枠５とを備えている。また、遊技機１の主要構成部品は、表枠４に集約して取り付けられている。
【００３２】
表枠４に設けられる主要構成部品としては、盤面に所定の遊技領域１ａが形成された遊技盤６、遊技機１に供給すべき遊技球（遊技媒体）及び遊技機１より払い出される遊技球（賞球）を一時貯留する受皿２、遊技球を遊技盤６の上部に打ち出すための発射装置７、この発射装置７を操作するための操作ハンドル８、必要に応じて所定個数の賞球を受皿２内に払い出す遊技球払出装置５３（図３参照）、遊技に係る主たる制御を処理する主制御
装置５０、主制御装置５０から出力されたコマンドに基づき各種装置を制御する副制御装置６０等を例示できる。
【００３３】
表枠４に設けられる窓枠５は、遊技者がその枠内に先の遊技盤６を覗き見ることのできる透視窓９を備えている。また、この透視窓９にはガラスが嵌め込まれ、さらに透視窓９の外周には、装飾ＬＥＤ１０、装飾ランプ１１、及びスピーカ（音声発生装置）１２が設けられている。
【００３４】
表枠４に設けられる受皿２は、窓枠５の下方に取り付けられている。この受皿２の内部には螺旋状のスロープが形成され、その最上流部には、ＣＲユニット７０（図３参照）に通じる遊技球借入口２ａが設けられている。また、受皿２に形成されたスロープの下流には、賞球払出し用の賞球払出口２ｂが設けられている。上記スロープの最下流部には、受皿２内の遊技球を一列に整列して遊技機１内に導く貯留球整列路２ｃが形成されている。そして、この貯留球整列路２ｃの末端に、発射装置７に通じる遊技球供給口２ｄが設けられている。また、受皿２の前面には、受皿２内の遊技球を受皿２外に排出させるための球抜きボタン２ｅ，２ｆが設けられている。
【００３５】
受皿２の左下には、灰皿２０が設けられている。また、受皿２の右下に、操作ハンドル８が設けられている。操作ハンドル８は、表枠４の裏面に設けられた発射装置７を作動させるためのメインスイッチ（図示せず）や、操作の有無を検知するタッチアンテナ（図示せず）を内臓している。そして、この操作ハンドル８を対象とした開度操作によって、遊技球の打力（発射強度）調整が可能になっている。
【００３６】
より詳しく説明すると、上記のメインスイッチやタッチアンテナの出力は、遊技機背面に設けられる発射制御装置５２（図３参照）に入力されており、発射装置７は、この発射制御装置５２の制御下で遊技球を遊技盤６に打ち出している。また、発射装置７には、遊技球を打ち出す打出杆、及び打出杆を連続的に揺動させる電動モータ（共に図示せず）などが組み込まれており、発射制御装置５２は、メインスイッチの出力を打出杆の可動量などに反映させて、遊技球の打力を調整している。
【００３７】
また、遊技球の打ち出しに関して、本実施の形態では、受皿２の左方に発射停止ボタン２１を設けている。この発射停止ボタン２１は、遊技者の判断のもと、操作ハンドル固定のまま遊技球の発射操作を一時停止させるための外部操作装置であり、遊技者は、この発射停止ボタン２１を操作（押下）することで、操作ハンドル８の開度を維持しつつも任意のタイミングで遊技球の発射を一時停止することができる。
【００３８】
遊技球払出装置５３（図３参照）は表枠４の裏面側に設けられ、賞球たる遊技球を貯留するタンクと、賞球として払い出される遊技球を数える賞球計数装置と、遊技機１の背面に設けられた遊技球タンク内の遊技球を賞球計数装置に送る賞球整列レールとを備えている（共に図示せず）。そして、その時々に要求される必要個数の遊技球を賞球計数装置にて計数し、上記の受皿２内に賞球として払い出す。
【００３９】
また、図３に示すように、遊技球払出装置５３は、払出制御装置５１に接続されている。この払出制御装置５１は、主制御装置５０から出力される制御コマンドに基づき遊技球払出装置５３による賞球の払出動作を制御している。また、払出制御装置５１には、遊技球払出装置５３の他、球貸信号制御装置７１が接続されており、払出制御装置５１は、球貸信号制御装置７１を介してＣＲユニット７０を操作し、必要個数の遊技球を受皿２内に供給する。
【００４０】
遊技盤６は、図２に示すように、略正方形状をなす合板からなり、表枠４の裏面に形成
された遊技盤収納枠（図示せず）に収納固定されている。また、遊技盤６の前面には、ガイドレール１３ａ及び遊技球規制レール１３ｂが設けられ、ガイドレール１３ａ及び遊技球規制レール１３ｂで囲まれた領域によって遊技領域が構成されている。
【００４１】
遊技領域には、遊技くぎや風車等などの障害物１４と、遊技球の進入し得る入賞口が形成された各種入賞装置２５，２６，２７，２８と、入賞に至らなかった遊技球を遊技領域の外部に排出するアウト口１５と、種々の図柄を演出を踏まえて表示する可変表示装置１７が設けられている。
【００４２】
また、可変表示装置１７の上部には、後に詳述するスタートチャッカ２６の開放制御に係る当否判定の結果を、「○」「×」等の記号で告知する普通図柄表示装置（ＬＥＤ表示装置）１８と、当否判定の実行に係る権利の保留数を表示する通過保留数表示ランプ１６等が設けられている。また、可変表示装置１７の両側に、開放制御の当否判定で実行される乱数抽選の契機をなすスルーチャッカ４９が設けられている。
【００４３】
遊技くぎや風車などの障害物１４は、遊技盤６上に打ち出された遊技球の落下方向に変化を与えて遊技球の処理に面白みを持たせる機能と、各種入賞装置２５，２６，２７，２８並びにスルーチャッカ４９の近傍に遊技球を誘導する機能とを兼ね備えている。
【００４４】
また、入賞装置としては、遊技球が入り込むことで所定個数の賞球（遊技球）の払出しに繋がる一般入賞装置２５と、後に詳述する大当たり抽選制御の契機をなしたり、図柄の変動表示を開始させるためのトリガーとなるスタートチャッカ（始動入賞ユニット）２６と、特別遊技状態への移行時に開かれる開閉扉２７ｃを備えた大入賞装置２７と、スタートチャッカ２６を一定期間開放するためのトリガーとなる開放用入賞装置２８などを例示できる。
【００４５】
なお、各入賞装置には、遊技球の通過を検知するためのセンサ（一部のみ図示）が内蔵されており、そのセンサの出力は、主制御装置５０の入力ポートに入力されている。また、本明細書では、これら入賞装置２５，２６，２７，２８に設けられる入賞口に遊技球が入る動作を以て入賞と称する。特に、スタートチャッカ２６に遊技球が入った場合には、この入賞を「始動入賞」と称する。
【００４６】
本例では、始動入賞装置としてスタートチャッカ２６が設けられている。このスタートチャッカ２６は、遊技盤６の略中央に設けられた可変表示装置１７の下方に配置されている。
【００４７】
可動片２６ｂは、スタートチャッカ２６に組み込まれたソレノイドにリンク機構（何れも図示せず）を介して連結され、このソレノイドに対する通電の有無により入賞口２６ａの外方若しくは内方に動く。なお、ソレノイドは可動物制御装置６７（図３参照）に接続されており、通電に係る制御は、主制御装置５０の管理のもと、可動物制御装置６７で処理されている。
【００４８】
図１に示すように、ガイドレール１３ａ及び遊技球規制レール１３ｂで囲まれた遊技領域のほぼ中央部分には、特別図柄等の識別情報や所定のアニメーションキャラクター等を変動表示させるためのＬＣＤ（Ｌｉｑｕｉｄ  Ｃｒｙｓｔａｌ  Ｄｉｓｐｌａｙ）等からなる、正面視横長方形のディスプレイ（可変表示装置）１７が配置されている。このディスプレイ１７の上部には、図４に示すように、ゲージの一部をなす釘群８１，８２，８３等が配列されている。
【００４９】
上記釘群８１，８２，８３のうち、釘群８１は所謂「天釘」と呼称されている複数本、
本実施例では５本の釘８１ａ〜８１ｅによって構成されている。これらの５本の釘８１ａ〜８１ｅは、ディスプレイ１７の上部中央に左右対象に配列されている。
【００５０】
また、釘群８２は、所謂「山釘」と呼称される５本の釘８２ａ〜８２ｅよって構成されている。これらの釘８２ａ〜８２ｅは、互いに密接し且つ所定の角度で傾斜して配列されている。
【００５１】
これらの釘８２ａ〜８２ｅのうち、最上端に配置された釘８２ｅと、上記釘群８１のうち正面視最左端に配置された釘８１ａとの間に、所謂「ぶっ込み」と呼称され、遊技球を打ち込む際の一つの目標となる打ち込みポイント（以下、「打ち込みポイント」という。）Ｃが区画形成されている。
【００５２】
これらの釘８１ａ，８２ｅ間に区画形成される打ち込みポイントＣの間隔Ｗ１は、発射装置７（図１参照）から射出された遊技球８４が通過可能となるように、当該遊技球８４の直径よりもやや広い寸法になっている。
【００５３】
なお、上記の打ち込みポイントＣは、遊技領域１ａ内に上記の釘などによって形成されるものであるが、当該釘のみの配列によって形成されるに限らず、例えば遊技領域１ａに設けられた風車、固定式役物、可動式役物等の障害部材の配列状態や相互の配置関係を変化させることによって、適宜に変更できる。
【００５４】
換言すると、打ち込みポイントＣは、発射装置７から射出された遊技球８４が衝突することによって、遊技球８４の射出方向が変更され、また落下する遊技球８４が衝突することによって、この遊技球８４の落下経路が変更、分散若しくは振り分けられる釘、風車、固定式役物や可動式役物等の障害部材により遊技領域１ａ内に形成でき、又はこれらを適宜組み合わせて配列することによっても形成できる。
【００５５】
上記の釘群８３は、所謂「山釘」と呼称される５本の釘８３ａ〜８３ｅによって構成されている。これらの釘８３ａ〜８３ｅは、互いに密接させ且つ所定の角度で傾斜して配列されている。これらの釘８３ａ〜８３ｅのうち、最上端に配置された釘８３ａと、上記釘群８１のうち正面視最右端に配置された釘８１ｅは、その間に所定の間隔が設けられ、且つ所定の角度で傾斜して配列されている。
【００５６】
次に、遊技球を射出する発射強度の強弱を調整するための操作部である操作ハンドル８について説明する。
【００５７】
この操作ハンドル８は、図５及び図６に示すように、ベース部１００、回動レバー１０１、前面カバー部１０２を有している。この操作ハンドル８は、後述のように回動レバー１０１を正面視時計方向（図５中のＲ方向）に回転させることによって、遊技球８４（図４参照）を射出させるように構成されている。
【００５８】
上記ベース部１００は、図７に示すように、正面視円形の浅底容器体１００ａと、この浅底容器体１００ａの底壁１００ｂの編心位置に設けられた円筒形の小径部１００ｃとを有している。
【００５９】
上記底壁１００ｂの略中心には、貫通孔１００ｄが設けられている。また、底壁１００ｂには、貫通孔１００ｄの下側（図７中の下側）に位置する嵌合孔１００ｅが設けられている。この嵌合孔１００ｅには、出力部である発射ボリュームＤが嵌合されて取り付けられている。
【００６０】
回動レバー１０１は、ベース部１００と前面カバー１０２との間に挟まれている。そして、ベース部１００、回動レバー１０１及び前面カバー部１０２で区画形成された内空部１０３内には、発射強度調整装置Ｅ（図９参照）と、トーションスプリング１０６が設けられている。また、回動レバー１０１の中心には、上記トーションスプリング１０６を嵌入する円筒軸１０１ｂが突設されている。
【００６１】
上記の回動レバー１０１は、ベース部１００の浅底容器体１００ａと同径の円筒部分１０１ａを有している。この円筒部分１０１ａの外周側には、図８に示すように、遊技者が指をかけるための突出部１０１ｃが設けられている。この回転レバー１０１の表面には、例えば導電性メッキが施されている。
【００６２】
本実施形態では、図８に示すように、回動レバー１０１を０°〜１００°の角度範囲内で回転調整できるように構成されているが、この調整角度に限るものではない。
【００６３】
次に、図９を参照して、発射強度調整装置Ｅについて説明する。この発射強度調整装置Ｅは、回動レバー１０１の調整操作量に応じて推移する出力の全調整範囲のうち、所定の区間内における調整操作量に対する出力推移の割合が、所定の区間外における出力推移の割合に比較して小さくなるように、発射装置７（図１参照）から射出される遊技球８４（図４参照）の発射強度を調整するように構成されている。
【００６４】
すなわち、発射強度調整装置Ｅは、操作ハンドル８の回動レバー１０１の調整操作量に応じて推移する出力の全調整範囲のうち、所定の区間における調整操作量に対する出力推移の割合が、所定の区間外の他の区間における割合に比較して小さくなるように形成された出力調整部材としての一対の歯車（以下、不規則歯車という）１１０と、この不規則歯車１１０によって回転される軸Ｄａを有し、この軸Ｄａの回転量に応じて生成された出力を、発射装置７に送出する出力手段としての発射ボリュームＤとを備えている。
【００６５】
上記の不規則歯車１１０は、互いに噛合された第１歯車１０４及び第２歯車１０５を有している。このうち第１歯車１０４の前端面には、上記の回動レバー１０１の係止用長孔１０１ａ，１０１ａに係止するための円柱状係止突起１０４ｃ，１０４ｃが設けられている。
【００６６】
また、第１歯車１０４の後端面には、上記ベース部１００の貫通孔１００ｄに回動自在に挿入される挿入突起１０４ｄが設けられている。
【００６７】
第２歯車１０５の後端面には、発射ボリュームＤの軸Ｄａに嵌入する嵌入孔（図示せず）が形成されている。
【００６８】
本例では、回動レバー１０１が回動操作されると、不規則歯車１１０を介して発射ボリュームＤの軸Ｄａに回動力が伝達され、発射ボリュームＤの出力すなわち発射強度が変化する。発射ボリュームＤは、所謂「電子ボリューム」と呼称されている磁気式の発射ボリューム等を使用できる。
【００６９】
この発射ボリュームＤは、ボリューム本体Ｄｂの内部に軸Ｄａが回動自在に挿入されている。また、ボリューム本体Ｄｂ内における軸Ｄａの回動軸心端部側には、軸Ｄａの回動に伴って移動する磁石（図示せず）が設けられている。更に、ボリューム本体Ｄｂ内には、移動した磁石の変位を検知する磁気センサ（図示せず）が設けられている。
【００７０】
このような構成により、発射ボリュームＤは、軸Ｄａの回動角度に比例した電圧を出力する。なお、磁気式の発射ボリュームは、磁石と磁気センサとが機械的に接触しないよう
に構成されているので、寿命が長くなるという利点を有している。
【００７１】
次に、上記の不規則歯車１１０について説明する。この不規則歯車１１０は、操作ハンドル８のベース部１００内に収容され、回転レバー１０１と発射ボリュームＤ間に介装されている。また、この不規則歯車１１０は、次に説明するように、高速度比と低速度比の２段階の速度比を有している。
【００７２】
すなわち、不規則歯車１１０は、図１０に示すように、互いに噛合された第１歯車１０４及び第２歯車１０５によって構成されている。このうち、第１歯車１０４は、所定の中心角θ１を有する円弧状の第１小径ギヤ部１１１と、この第１小径ギヤ部１１１の両側に形成された円弧状の第１大径ギヤ部１１２とを有している。
【００７３】
第１大径ギヤ部１１２は、第１小径ギヤ部１１１より大径に形成されている。また、本例では、第１小径ギヤ部１１１と第２小径ギヤ部１１２とが、周方向において連続的に形成されている。
【００７４】
換言すれば、第１歯車１０４は、円盤１１４の外周部に中心角θ１の範囲で扇状の凹部１１５が設けられ、この凹部１１５における底面全体に円弧状の第１小径ギヤ部１１１が形成されている。
【００７５】
また、円盤１１４の外周部における凹部１１５を除いた部分、すなわち中心角θ２（θ２＝３６０°−θ１）の範囲に、第１大径ギヤ部１１２が形成されている。第１小径ギヤ部１１１とその両側の第１大径ギヤ部１１２の境界は、段状に形成されている。凹部１１５の両側面１１５ａ，１１５ａは、円盤１１４の直径線に沿って直線状に形成されている。
【００７６】
なお、本例では、第１大径ギヤ部１１２が、円盤１１４の外周部における第１小径ギヤ部１１１を除いた部分に全体的に形成されているが、第１大径ギヤ部１１２は、第１小径ギヤ部１１１の両側に所定の長さだけ形成することもできる。
【００７７】
上記第２歯車１０５は、所定の中心角θ３を有する円弧状で上記の第１小径ギヤ部１１１に噛合される第２大径ギヤ部１１６と、この第２大径ギヤ部１１６の両側に形成された第２小径ギヤ部１１７とを有している。
【００７８】
第２小径ギヤ部１１７は、第２大径ギヤ部１１６より小径である。また、本例では、第２大径ギヤ部１１６と第２小径ギヤ部１１７とが、周方向に連続的に形成されている。
【００７９】
換言すれば、第２歯車１０５は、円盤１１８の外周部に中心角θ３の範囲で扇状の凸部１１９が設けられ、この凸部１１９の先端面全体に円弧状の第２小径ギヤ部１１６が形成されている。
【００８０】
また、円盤１１８の外周部における凸部１１９を除いた部分、すなわち中心角θ４（θ４＝３６０°−θ３）の範囲に、第２小径ギヤ部１１７が形成されている。第２大径ギヤ部１１６とその両側の第２小径ギヤ部１１７の境界は、段状に形成されている。また、凸部１１９の両側面１１９ａ，１１９ａは、円盤１１８の直径線に沿って直線状に形成されている。
【００８１】
なお、本例では、第２小径ギヤ部１１７が、円盤１１８の外周部における第２大径ギヤ部１１６を除いた部分に全体的に形成されているが、第２小径ギヤ部１１７は、第２大径ギヤ部１１６の両側に、所定の長さだけ形成することもできる。
【００８２】
この不規則歯車１１０は、回動レバー１０１の操作によって第１歯車１０４が回転し、第２歯車１０５が回転される。そして、操作開始直後は第１歯車１０４の第１大径ギヤ部１１２が、第２歯車１０５の第２小径ギヤ部１１７に噛合される。
【００８３】
回動レバー１０１が更に操作されると、所定のタイミングで、第１歯車１０４の第１小径ギヤ部１１１が第２歯車１０５の第２大径ギヤ部１１６に噛合される。続いて、所定のタイミングで、第１歯車１０４の第１大径ギヤ部１１２が、第２歯車１０５の第２小径ギヤ部１１７に噛合される。
【００８４】
ここで、上記のように第１歯車１０４の第１大径ギヤ部１１２が、第２歯車１０５の第２小径ギヤ部１１７に噛合されたときには、第１歯車１０４に対する第２歯車１０５の速度比が相対的に高速度比になる（図１０及び図１４参照）。
【００８５】
また、第１歯車１０４の第１小径ギヤ部１１１が、第２歯車１０５の第２大径ギヤ部１１６に噛合したときには、第１歯車１０４に対する第２歯車１０５の速度比が低速度比になる（図１２参照）。
【００８６】
なお、上記各ギヤ部１１１，１１２，１１６，１１７のモジュール、ピッチ円径Ｐ１〜Ｐ４、中心角θ１〜θ４などの仕様は、後述の所定の区間における発射強度の微調整の態様、及び所定の区間外における発射強度の調整範囲に応じて適宜設定される。
【００８７】
図１０は、遊技球８４を所謂「チョロ打ち」する場合における、不規則歯車１１０の噛合状態を示している。このときには、第１歯車１０４の第１大径ギヤ部１１２が、第２歯車１０５の第２小径ギヤ部１１７に噛合される。
【００８８】
この場合は、不規則歯車１１０が高速度比に設定されるので、操作ハンドル８における回転レバー１０１（図８参照）の調整操作量に対して、発射ボリュームＤの出力推移量が相対的に大きくなる。
【００８９】
この状態から、回動レバー１０１を遊技者からみて時計回転方向Ｒに回転させると、図１１に示すように、所定のタイミングで第１歯車１０４の凹部１１５内に第２歯車１０５の凸部１１９が挿入される。
【００９０】
そして、第１歯車１０４の第１大径ギヤ部１１２と、第２歯車１０５の第２小径ギヤ部１１７との噛合が終了し、第１歯車１０４の第１小径ギヤ部１１１が、第２歯車１０５の第２大径ギヤ部１１６に噛合される。
【００９１】
この状態は、所謂「ぶっ込みねらい」の開始時点であり、これ以降不規則歯車１１０が低速度比に切り替えられ、回転レバー１０１の回転量に対して覇者ボリュームＤの出力推移量が比較的小さくなる。これにより、発射強度の微調整が可能になる。
【００９２】
この状態から更に回転レバー１０１が時計方向Ｒに回転されると、図１２に示すように、第１歯車１０４の第１小径ギヤ部１１１と、第２歯車１０５の第２大径ギヤ部１１６との噛合状態が一定区間だけ継続される。この間において、発射強度の微調整が行われる。
【００９３】
図１２の状態から、更に回転レバー１０１が時計回転方向Ｒに回転されると、図１３に示すように、第１歯車の第１小径ギヤ部１１１と第２歯車１０５の第２大径ギヤ部１１６との噛合が終了するる。
【００９４】
そして、第１歯車１０４の第１大径ギヤ部１１２が、第２歯車１０５の第２小径ギヤ部１１７に噛合される。この状態は、所謂「ぶっ込み狙い」の終了時点である。
【００９５】
この後、回転レバー１０１が更に時計回転方向Ｒに回転されると、図１４に示すように、第１歯車１０４の第１大径ギヤ部１１２が第２歯車１０５の第２小径ギヤ１１７に噛合された状態が一定区間継続する。この状態は、所謂「右打ち」の状態である。
【００９６】
次に、この発射強度調整装置Ｅの作用について説明する。上記不規則歯車１１０は、図１５に示すように、操作ハンドル８の回動レバー１０１の調整操作量に基づく発射ボリュームＤの回動角度に応じて推移する出力の全調整範囲（イ）のうち、所定の区間（ロ）内における調整操作量に基づく軸Ｄａの回動角度に対する出力推移の割合が、所定の区間外の区間（ハ），（ニ）における出力推移の割合に比較して小さくなるように構成されている。
【００９７】
すなわち、所定の区間（ロ）では、回動レバー１０１の回動に基づく軸Ｄａの回動角度を、前後に比較的大きく変化させても、所定の区間外の区間（ハ），（ニ）に比較して発射ボリュームＤから出力される電圧の変化が少ない。
【００９８】
換言すると、不規則歯車１１０は、後述の発射装置７から打ち出される遊技球８４の発射強度に応じた出力電圧と、操作ハンドル８の回動レバー１０１の調整操作量に基づく出力推移の割合、すなわち、回動レバー１０１の回動角度との関係が、図１５に示す出力特性となるように構成されている。
【００９９】
所定の区間（ロ）では、操作ハンドル８の回動レバー１０１の調整操作量に基づいて回転変位する軸Ｄａの回動角度と、発射強度に対応した出力電圧とが緩やかな傾斜で直線的に比例して増減する。
【０１００】
ここで、第１歯車１０４の第１小径ギヤ部１１１と、第２歯車１０５の第２大径ギヤ部１１６とのギヤ比、及び第１歯車１０４の第１大径ギヤ部１１２と、第２歯車１０５の第２小径ギヤ部１１７とのギヤ比を適宜設定することにより、上記所定の区間（ロ）における出力特性を、例えば上側にやや突出した湾曲線や、下側にやや突出した湾曲線に沿って増減する出力特性にしたり、これらの湾曲線を組み合わせた出力特性にできる。
【０１０１】
すなわち、第１歯車１０４の第１小径ギヤ部１１１と第２歯車１０５の第２大径ギヤ部１１６を適宜なギヤ比に設定することによって、所定の区間（ロ）における出力特性を容易に変更できる。
【０１０２】
本例では、上記所定の区間（ロ）を、目標となる遊技領域１ａ（図４参照）内の打ち込みポイントＣに、遊技球８４を打ち込むことが可能な発射強度に対応する出力電圧の調整区間に略一致させている。
【０１０３】
上記の「目標となる遊技領域１ａ内の打ち込みポイントＣに、遊技球８４を打ち込むことが可能な発射強度に対応する出力電圧の調整区間」の具体例は、図１５に示すように、最大の発射強度の約６０〜８０％の調整強度（縦軸の発射強度目盛りを参照）である。
【０１０４】
本例では、この調整区間に、回動レバー１０１（図９参照）の回動に基づいて変化する発射ボリュームＤの軸Ｄａにおける回動角度６２．５°を中心とした約６０°の調整角度範囲、換言すると、回動角度６２．５度を挟む±３０°の調整角度範囲が対応している。
【０１０５】
言い換えれば、最大の発射強度の約６０〜８０％の調整強度を出力電圧に換算すると、
打ち込みポイントＣに遊技球８４を打ち込むために適正な出力電圧は約５〜７（Ｖ）となる。
【０１０６】
この出力電圧に対して、回動レバー１０１の回動に基づいて回動変位する軸Ｄａが、回動角度６２．５°を中心とした約６０°の調整角度範囲、すなわち、回動角度６２．５°を挟む±３０°の調整角度範囲となるように設定されている。
【０１０７】
なお、図１５中の符号８６は従来において遊技球８４を打ち込む際の、調整角度範囲と出力電圧（発射強度）との関係を示す出力曲線である。
【０１０８】
この出力曲線８６においては、最大の発射強度に対して約６０〜８０％の調整強度となる所定の区間（ロ）に、約２０°の略直線的に比例して増減する狭い調整角度範囲（ホ）が対応している。
【０１０９】
この出力曲線８６では、適正な調整角度範囲となるように軸Ｄａの回動角度の調整を行うことが困難である。また、打ち込みポイントＣに遊技球８４を打ち込むべき発射強度に対応した出力電圧とすることは、困難である。これらのことから、従来の出力曲線８６においては、遊技球８４の打ち込み調整をすることが困難であることが明らかである。
【０１１０】
発射装置７は、発射ボリュームＤから送出される出力電圧の推移（発射強度情報）に応じた発射強度で、遊技球８４を射出するように構成されている。この発射装置７は、従来と同様な構成であり、その詳細な説明を省略する。
【０１１１】
この発射強度調整装置Ｅによれば、操作ハンドル８における回動レバー１０１の回動操作に基づく調整操作量と、発射ボリュームＤから出力される電圧値との関係は、次のようになる。
【０１１２】
すなわち、回動レバー１０１を回動しない回動開始位置では、第１歯車１０４の第１大径ギヤ部１１２と、第２歯車１０５の第２小径ギヤ１１７とが噛合した状態となる（図１０参照）。
【０１１３】
この状態から、回動レバー１０１を回動し始めると、第１歯車１０４の第１大径ギヤ部１１２と、第２歯車１０５の第２小径ギヤ１１７とが噛合した状態、すなわち高速度比で両歯車１１１，１１７が回転する。
【０１１４】
そして、図１５に示した所定の区間外の区間（ニ）となる回動角度範囲内で回動させている間は、回動レバー１０１の回動角度に基づく調整操作量と、発射ボリュームＤから出力される電圧とが急激な傾きの直線に沿った関係で増減する出力特性となり、その出力推移の割合が大きくなる。
【０１１５】
回動レバー１０１を更に回動させて、図１５に示した所定の区間（ロ）内の回動角度になると、第１歯車１０４の第１小径ギヤ部１１１が第２歯車１０５の第２大径ギヤ部１１６に噛合する（図１１〜図１３参照）。
【０１１６】
これにより、両歯車１０４，１０５が低速度比で回転し、回動レバー１０１の回動角度に基づく調整操作量と、発射ボリュームＤから出力される電圧とが、比較的小さな傾きの直線に沿って増減する出力特性となり、その出力推移の割合が小さくなる。
【０１１７】
すなわち、この所定の区間（ロ）では、回動レバー１０１の調整操作量に対して、軸Ｄａの回動角度、すなわち発射ボリュームにおける出力電圧の増加する割合が、所定の区間
外の区間（ハ），（ニ）における出力電圧の増加する割合に比較して小さくなる。
【０１１８】
これにより、出力推移の割合が小さい所定の区間（ロ）においては、遊技球８４の射出力の強弱を微調整することができるので、打ち込みポイントＣに遊技球８４を正確に打ち込むことが可能になる。
【０１１９】
また、所定の区間（ロ）を適宜設定することにより、打ち込みポイントＣの前から発射強度の微調整を可能にできる。
【０１２０】
更に、回動レバー１０１を回動させると、第１歯車１０４の第１大径ギヤ部１１２が、第２歯車１０５の第２小径ギヤ部１１７に噛合され（図１４参照）、両歯車１０４，１０５が、図１５に示した所定の区間外の区間（ハ）内で回動される。
【０１２１】
両歯車１０４，１０５が、上記所定の区間外の区間（ハ）内で回動している間は、上記回動レバー１０１の回動角度に基づく調整操作量と、発射ボリュームＤから出力される電圧とが、、急激な傾きの直線に沿って増減する出力特性となり、その出力推移の割合が大きくなる。
【０１２２】
また、回動レバー１０１の調整操作量に基づく軸Ｄａの回動角度を元に戻すと、上記とは逆の経路をたどって発射ボリュームＤから出力される電圧が、減少する方向に推移する。
【０１２３】
このように、本発明の遊技機１は、操作部である操作ハンドル８の強弱調整量に応じて推移する出力の全調整範囲（イ）のうち、所定の区間（ロ）内における強弱調整量に対する出力推移の割合が、所定の区間外の区間（ハ）、（ニ）における当該割合に比較して小さくなるように、発射強度調整装置Ｅによって上記出力推移の割合を調整し、この調整に基づく発射強度で遊技球８４を遊技領域１ａに向けて射出するように構成されている。
【０１２４】
なお、上記の実施形態においては、所定の区間（ロ）を、目標となる遊技領域１ａ内の打ち込みポイントＣに、遊技球８４を打ち込むことができる発射強度の調整区間に略一致させた例について説明したが、所定の区間（ロ）を上記調整区間を含むや広い区間にしてもよい。
【０１２５】
この場合は、所定の区間（ロ）の直前から発射強度を微調整できるので、遊技球８４を打ち込みポイントＣに打ち込む際に事前準備ができ、更に容易に打ち込みポイントＣに打ち込むことができる。
【０１２６】
なお、上記の打ち込みポイントの設定は、「ぶっこみ」のみならず、「ちょろ打ち」や「右打ち」など適宜変更可能である。
【０１２７】
また、上記の実施形態では、第１歯車１０４の第１大径ギヤ部１１２に一個の第１小径ギヤ部１１１を設け、第２歯車１０５の第２小径ギヤ部１１７に一個の第２大径ギヤ部１１６を設けたが、図１６に示すように、第１歯車１２０の第１大径ギヤ部１２１に複数個の第１小径ギヤ部１２２ａ〜１２２ｃを設け、第２歯車１２３の第２小径ギヤ部１２４に複数個の第２大径ギヤ部１２５ａ〜１２５ｃを設けることができる。
【０１２８】
なお、図１６は、第１小径ギヤ部１２２ａ〜１２２ｃ及び第２大径ギヤ部１２５ａ〜１２５ｃをそれぞれ３個ずつ設けた例を示す。
【０１２９】
このように、第１及び第２歯車１２０，１２３に複数の第１小径ギヤ部１２２ａ〜１２
２ｃ，及び第２大径ギヤ部１２５ａ〜１２５ｃを設けることによって、複数の打ち込みポイントにおいて発射強度の微調整が容易になる。
【図面の簡単な説明】
【０１３０】
【図１】本実施の形態に係る遊技機を正面側から見た斜視図である。
【図２】本実施の形態に係る遊技機の正面図である。
【図３】本実施の形態に係る遊技機の制御装置類を示すブロック図である。
【図４】本実施の形態に係る釘群を示す正面図である。
【図５】本実施形態に係る操作ハンドルを示す斜視図である。
【図６】本実施形態に係る操作ハンドル示す側面図である。
【図７】本実施形態に係る操作ハンドルを示す断面図である。
【図８】本実施形態に係る操作ハンドルを示す正面図である。
【図９】本実施形態に係る操作ハンドル、出力調整部材及び出力手段を示す分解斜視図である。
【図１０】本実施形態に係る出力調整部材の作用を説明する図である。
【図１１】本実施形態に係る出力調整部材の作用を説明する図である。
【図１２】本実施形態に係る出力調整部材の作用を説明する図である。
【図１３】本実施形態に係る出力調整部材の作用を説明する図である。
【図１４】本実施形態に係る出力調整部材の作用を説明する図である。
【図１５】本実施形態に係る出力推移を示す図である。
【図１６】本実施形態に係る別の実施例を示す図である。
【符号の説明】
【０１３１】
１    遊技機
１ａ    遊技領域
２    受皿
２ａ    遊技球借入口
２ｂ    賞球払出口
２ｃ    貯留球整列路
２ｄ    遊技球供給口
２ｅ，２ｆ    ボタン
３    外枠
４    表枠
５    窓枠
６    遊技盤
７    発射装置
８    操作ハンドル
９    透視窓
１１    装飾ランプ
１２    スピーカ（音声発生装置）
１３ａ    ガイドレール
１３ｂ    遊技球規制レール
１４    障害物
１５    アウト口
１６    通過保留数表示ランプ
１７    ディスプレイ（可変表示装置）
１８    普通図柄表示装置
１９    特定保留数表示ランプ
２０    灰皿
２１    発射停止ボタン
２５    一般入賞装置
２６    スタートチャッカ
２６ａ    入賞口
２６ｂ    可動片
２７    大入賞装置
２７ａ    大入賞口
２７ｂ    ゾーン
２７ｃ    開閉扉
２８    開放用入賞装置
２８ａ    開放口
４６    通過球検知センサ
４７    始動入賞球検知センサ
４８    大入賞球検知センサ
４９    スルーチャッカ
５０    主制御装置
５１    払出制御装置
５２    発射制御装置
５３    遊技球払出装置
５４    集中管理装置
６０    副制御装置
６１    図柄制御装置
６２    ランプ制御装置
６３    音声制御装置
６５    プロセッサ
６７    可動物制御装置
７０    ＣＲユニット
７１    球貸信号制御装置
８１    釘群
８１ａ〜８１ｅ    釘
８２    釘群
８２ａ〜８２ｅ    釘
８３    釘群
８３ａ〜８３ｅ    釘
８４    遊技球
８６    出力曲線
１００    ベース部
１００ａ    浅底容器体
１００ｂ    底壁
１００ｃ    小径部
１００ｄ    貫通孔
１００ｅ    嵌合孔
１０１    回動レバー
１０１ａ    円筒部分
１０１ａ，１０１ａ    係止用長孔
１０１ｂ    円筒軸
１０１ｃ    突出部
１０２    前面カバー
１０３    内空部
１０４    第１歯車
１０４ｃ    円柱状係止突起
１０４ｄ    挿入突起
１０５    第２歯車
１０６    トーションスプリング
１１０    不規則歯車
１１１    第１小径ギヤ部
１１２    第１大径ギヤ部
１１４    円盤
１１５    凹部
１１５ａ    凹部の側面
１１６    第２大径ギヤ部
１１７    第２小径ギヤ
１１８    円盤
１１９    凸部
１１９ａ    凸部の側面
１２０    第１歯車
１２１    第１大径ギヤ部
１２２ａ〜１２２ｃ    第１小径ギヤ部
１２３    第２歯車
１２４    第２小径ギヤ部
１２５ａ〜１２５ｃ    第２大径ギヤ部
Ｃ    打ち込みポイント
Ｄ    発射ボリューム
Ｄａ    軸
Ｄｂ    ボリューム本体
Ｅ    発射強度調整装置
θ１〜θ４    各ギヤ部の中心角
【図１】
2005052517.tif 000003
【図２】
2005052517.tif 000004
【図３】
2005052517.tif 000005
【図４】
2005052517.tif 000006
【図５】
2005052517.tif 000007
【図６】
2005052517.tif 000008
【図７】
2005052517.tif 000009
【図８】
2005052517.tif 000010
【図９】
2005052517.tif 000011
【図１０】
2005052517.tif 000012
【図１１】
2005052517.tif 000013
【図１２】
2005052517.tif 000014
【図１３】
2005052517.tif 000015
【図１４】
2005052517.tif 000016
【図１５】
2005052517.tif 000017
【図１６】
2005052517.tif 000018